(57)【要約】【課題】ボールにトップスピンがかかり易く、かつこのトップスピンのかけ易さの温度依存性が小さいパターヘッドを提供する。【解決手段】ヘッド本体２の前面（フェース面）に凹部２Ｈが設けられ、この凹部２Ｈ内にフェースインサート３が配置されている。フェースインサート３は、パターヘッド１のフェース面の大部分を構成するプレート部３ａと、該プレート部３ａの上縁から後方に延出したブラケット部３ｂとを備えており、前後方向の縦断面形状が逆Ｌ字形状となっている。ブラケット部３ｂがヘッド本体２の頂面部の溝２Ｇに係合し、ボルト６によってヘッド本体２に固定されている。【選択図】図２
2012125511.tif 000002
【特許請求の範囲】
【請求項１】
ヘッド本体のフェース面にフェースインサートを装着したパターヘッドにおいて、
該フェースインサートは、フェース面に配置されたプレート部と、該プレート部の上縁に連なり、該ヘッド本体の頂面に沿って後方へ延出したブラケット部とを有しており、
該ブラケット部が前記ヘッド本体の上面部に固定されており、
該プレート部の後面と前記ヘッド本体との間が空間部となっているか又は該空間部に粘弾性材が配置されていることを特徴とするパターヘッド。
【請求項２】
請求項１において、前記ブラケット部は、上下方向に貫通したボルト挿通孔を備えており、該ボルト挿通孔を通してヘッド本体にボルトがねじ込まれることにより前記フェースインサートがヘッド本体に固定されていることを特徴とするパターヘッド。
【請求項３】
請求項１又は２において、前記ブラケット部は、前記ヘッド本体の後面に回り込む垂下部を備えており、該垂下部に前後方向にボルト挿通孔が貫設されており、該ボルト挿通孔に挿通されたボルトが前記ヘッド本体にねじ込まれることにより前記フェースインサートがヘッド本体に固定されていることを特徴とするパターヘッド。
【請求項４】
請求項１ないし３のいずれか１項において、前記ヘッド本体の頂面に、前記ブラケット部が係合した溝が設けられていることを特徴とするパターヘッド。
【請求項５】
請求項１ないし４のいずれか１項において、プレート部の厚さが異なる複数個のフェースインサートをスペア品として備えており、
該スペア品の中から選ばれた１つのフェースインサートがヘッド本体に着脱可能に取り付けられていることを特徴とするパターヘッド。
【請求項６】
請求項５において、厚さの異なる粘弾性材をスペア品として備えており、
フェースインサートの厚さに応じた厚さを有する粘弾性材が該スペア品の中から選ばれて前記空間部に配置されていることを特徴とするパターヘッド。
【発明の詳細な説明】
【技術分野】
【０００１】
本発明は、ゴルフのパターのパターヘッドに関するものであり、特にヘッド本体のフェース面にフェースインサートを装着したパターヘッドに関するものである。
【背景技術】
【０００２】
ゴルフのパターは、主としてグリーン上においてボールをヒットしてボールをカップに向けて転がす用途に用いられるクラブである。特開２００７−１１７６３５には、パターヘッドのフェース面にフェースインサートを装着して打感を柔らかくすることが記載されている。
【０００３】
特開２００１−６２００８には、フェース面の下部に合成樹脂発泡体を一体に設けることによりトップスピンをかけ易くしたパターヘッドが記載されている。しかしながら、合成樹脂発泡体は特性の温度依存性が強いので、気温によってトップスピンのかかり方がかなり変化する。
【先行技術文献】
【特許文献】
【０００４】
【特許文献１】特開２００７−１１７６３５
【特許文献２】特開２００１−６２００８
【発明の概要】
【発明が解決しようとする課題】
【０００５】
本発明は、通常のパターに比べボールを打った時にボールのバックスピンが減少し、ひいては、ボールにトップスピンがかかり易く、かつ、このトップスピンのかけ易さの温度依存性が小さいパターヘッドを提供することを目的とする。
【課題を解決するための手段】
【０００６】
請求項１のパターヘッドは、ヘッド本体のフェース面にフェースインサートを装着したパターヘッドにおいて、該フェースインサートは、フェース面に配置されたプレート部と、該プレート部の上縁に連なり、該ヘッド本体の頂面に沿って後方へ延出したブラケット部とを有しており、該ブラケット部が前記ヘッド本体の上面部に固定されており、該プレート部の後面と前記ヘッド本体との間が空間部となっているか又は該空間部に粘弾性材が配置されていることを特徴とするものである。
【０００７】
請求項２のパターヘッドは、請求項１において、前記ブラケット部は、上下方向に貫通したボルト挿通孔を備えており、該ボルト挿通孔を通してヘッド本体にボルトがねじ込まれることにより前記フェースインサートがヘッド本体に固定されていることを特徴とするものである。
【０００８】
請求項３のパターヘッドは、請求項１又は２において、前記ブラケット部は、前記ヘッド本体の後面に回り込む垂下部を備えており、該垂下部に前後方向にボルト挿通孔が貫設されており、該ボルト挿通孔に挿通されたボルトが前記ヘッド本体にねじ込まれることにより前記フェースインサートがヘッド本体に固定されていることを特徴とするものである。
【０００９】
請求項４のパターヘッドは、請求項１ないし３のいずれか１項において、前記ヘッド本体の頂面に、前記ブラケット部が係合した溝が設けられていることを特徴とするものである。
【００１０】
請求項５のパターヘッドは、請求項１ないし４のいずれか１項において、プレート部の厚さが異なる複数個のフェースインサートをスペア品として備えており、該スペア品の中から選ばれた１つのフェースインサートがヘッド本体に着脱可能に取り付けられていることを特徴とするものである。
【００１１】
請求項６のパターヘッドは、請求項５において、厚さの異なる粘弾性材をスペア品として備えており、フェースインサートの厚さに応じた厚さを有する粘弾性材が該スペア品の中から選ばれて前記空間部に配置されていることを特徴とするものである。
【発明の効果】
【００１２】
本発明のパターヘッドのフェースインサートのプレート部の後面とヘッド本体との間は空間部となっているか又はこの空間部に粘弾性材が配置されている。そのため、ボールをヒットしたときにフェースインサートの該プレート部の下部が後退し、バックスピンが減少し、ボールにトップスピンがかかり易いものとなり、ヒットされたボールの直進性が良好となる。
【００１３】
なお、該プレート部の後面側に粘弾性材を配置することにより、打球音や、打感の調節を行うことができる。
【００１４】
本発明では、フェースインサートをプレート部の厚さの異なるものに変更可能としてもよい。
【図面の簡単な説明】
【００１５】
【図１】実施の形態に係るパターヘッドの斜視図である。
【図２】図１のパターヘッドの正面図である。
【図３】図２のIII−III線断面図である。
【図４】図１のパターヘッドの分解斜視図である。
【図５】別の実施の形態に係るパターヘッドの断面図である。
【図６】別の実施の形態に係るパターヘッドの断面図である。
【図７】別の実施の形態に係るパターヘッドの断面図である。
【図８】別の実施の形態に係るパターヘッドの断面図である。
【図９】別の実施の形態に係るパターヘッドの断面図である。
【図１０】別の実施の形態に係るパターヘッドの断面図である。
【図１１】異なる実施の形態に係るパターヘッドの斜視図である。
【図１２】図１１のパターヘッドの分解斜視図である。
【図１３】別の実施の形態に係るパターヘッドのフェースインサートの断面図である。
【図１４】別の実施の形態に係るパターヘッドのフェースインサートの断面図である。
【発明を実施するための形態】
【００１６】
以下、図面を参照して実施の形態について説明する。
【００１７】
第１図〜第４図は第１の実施の形態に係るパターヘッド１を示すものである。このパターヘッド１では、ヘッド本体２の前面（フェース面）に凹部２Ｈが設けられ、頂面部に溝２Ｇが設けられている。溝２Ｇには、後述のボルト６がねじ込まれるめねじ穴２ａが設けられている。この凹部２Ｈ及び溝２Ｇに係合するようにフェースインサート３が配置されている。この実施の形態では、ヘッド本体２はアルミ合金、チタン合金、銅合金、ステンレスなどの金属製である。フェースインサート３は、ポリエステル、ナイロン、ウレタンなどの合成樹脂又はアルミ合金、銅合金、ステンレスなどの金属よりなる。フェースインサート３の前面と、凹部２Ｈの周囲のヘッド本体２の前面とは面一である。
【００１８】
フェースインサート３は、パターヘッド１のフェース面の大部分を構成するプレート部３ａと、該プレート部３ａの上縁から後方に延出したブラケット部３ｂとを備えており、前後方向の縦断面形状が逆Ｌ字形状となっている。ブラケット部３ｂには、ボルト挿通孔３ｃが設けられている。この実施の形態では、プレート部３ａの上端面はヘッド本体２の頂面部に露呈している。
【００１９】
プレート部３ａの後面と凹部２Ｈの奥壁面との間に、両者に接するようにして粘弾性材７が配置されている。粘弾性材としてはゴム、エラストマー、軟質合成樹脂などが用いられる。粘弾性材７はプレート部３ａの後面に接着又は粘着されていてもよい。粘弾性材７の側端面及び下端面はプレート部３ａの側端面及び下端面と面一状となっているが、それよりも後退していてもよい。
【００２０】
ボルト６をボルト挿通孔３ｃに通し、雌螺子穴２ａにねじ込むことにより、フェースインサート３がヘッド本体２に固定され、パターヘッド１が構成される。
【００２１】
凹部２Ｈ及びフェースインサート３のプレート部３ａの正面視形状は、横長の略長方形状である。
【００２２】
プレート部３ａの左右幅及び上下幅は凹部２Ｈよりも若干小さいものとなっており、プレート部３ａの上下左右の側面と凹部２Ｈの周面との間には若干の空隙４があいている。この空隙４の幅は０．３〜１．５ｍｍ特に０．４〜１．０ｍｍ程度が好適である。プレート部３ａの大きさは上下幅が１６〜３０ｍｍ特に１８〜２５ｍｍ、左右幅が５０〜１５０ｍｍ特に７０〜１００ｍｍ、厚さは０．８〜３ｍｍ程度が好ましいが、これに限定されない。
【００２３】
このように構成されたパターヘッド１のホゼル部１ｈにシャフトを連結することによりパターが構成される。このパターでパッティング（グリーン上のボールをフェース面で打つこと）すると、ボールをヒットしたときにフェースインサート３のプレート部３ａの下部の前面側が若干後退することにより、トップスピンがかかり易くなり、ヒットされたボールの直進性が良好となる。粘弾性材７はプレート部３ａの変形に殆ど影響せず、トップスピンのかかり易さに温度依存性はない。
【００２４】
このパターヘッド１のようにプレート部３ａの後面に粘弾性材７を配置すると、ボールをヒットしたときの打球音や打感を調節することができる。
【００２５】
上記実施の形態では、凹部２Ｈの奥壁面は鉛直な平面となっているが、第５図のように該奥壁面に深凹部２ｈを設け、粘弾性材７’として、該深凹部２ｈに嵌合した凸部を背面に有するものを用いてもよい。
【００２６】
上記実施の形態ではプレート部３ａの後面に粘弾性材７，７’を配置しているが、第６図のパターヘッド１Ａのように粘弾性材７，７’を省略し、プレート部３ａの後面と凹部２Ｈの奥壁面との間を空間部としてもよい。
【００２７】
上記実施の形態では、フェースインサート３のプレート部３ａの周囲に空隙４を形成しているが、第７図（ａ）のパターヘッド１Ｂのように、この空隙４にゴム、エラストマー、合成樹脂などの粘弾性材８を配材してもよい。また、第８図（ａ）のパターヘッド１Ｃのように、空隙４が生じないようにフェースインサート３のプレート部３ａを凹部２Ｈにぴったりと嵌まるように構成してもよい。第７図，第８図の実施の形態においても、各（ｂ）図のパターヘッド１Ｂ’，１Ｃ’のように、凹部２Ｈに深凹部２ｈを設け、粘弾性材７’を配置してもよい。
【００２８】
なお、第１図〜第７図のパターヘッドのようにフェースインサート３の周面と凹部２Ｈの周面との間に空隙４や粘弾性材８を設けると、フェースインサートの反発特性が設計通りになるという効果が得られる。
【００２９】
本発明では、第９図（ａ）のパターヘッド１Ｄのフェースインサート３Ｄのように、プレート部３ａをパターヘッド１Ｄの底面まで延在させてもよい。このパターヘッド１Ｄでは、粘弾性材７Ｄもパターヘッド１Ｄの底面にまで延在している。なお、粘弾性材７Ｄはパターヘッド１Ｄの底面にまで達しなくてもよい。また、粘弾性材７Ｄは省略されてもよい。
【００３０】
本発明では、第１０図（ａ）のパターヘッド１Ｅのフェースインサート３のように、ブラケット部３ｂの後端に垂下部３ｄを設け、この垂下部３ｄをヘッド本体２Ｅの後面に重ね合わせ、この垂下部３ｄをボルト６によってヘッド本体２Ｅに固定してもよい。なお、垂下部３ｄには、このボルト６を通すボルト挿通孔３ｅが前後方向に貫設されている。第９図，第１０図の実施の形態においても、各（ｂ）図のパターヘッド１Ｄ’，１Ｅ’のように、凹部２Ｈに深凹部２ｈを設けてもよい。
【００３１】
上記実施の形態では、いずれもプレート部３ａの上端はヘッド本体の上端面にまで達しているが、第１１，１２図のパターヘッド１のように、ヘッド本体２Ｆの上縁前面２ｆをフェースインサート３Ｆのプレート部３ａの上側に張り出させ、プレート部３ａを上縁前面２ｆの下側に配置してもよい。第１１，１２図のその他の構成は第１，４図と同一であり、同一符号は同一部分を示している。
【００３２】
上記実施の形態では、いずれもプレート部３ａの後面は略鉛直となっているが、第１３，１４図のフェースインサート３Ｇ，３Ｈのように、プレート部３ａの後面を傾斜させてもよい。第１３図のフェースインサート３Ｇでは、プレート部３ａの後面は上部ほど前方となるように傾いている。第１４図のフェースインサート３Ｈでは、プレート部３ａの後面は上部ほど後方となるように傾いている。なお、図示は省略するが、プレート部３ａの後面は、その少なくとも一部が曲面であってもよい。
【００３３】
上記実施の形態では、フェースインサートの前面は平坦となっているが、横長の溝を複数本平行に設けてもよい。溝の幅員（上下幅）は０．３〜１．６ｍｍ程度が好適であり、溝の深さは０．０５〜１．１ｍｍ程度が好ましい。
【００３４】
上記実施の形態はいずれも本発明の一例であり、本発明は図示以外の形態とされてもよい。例えば、フェースインサートのブラケット部はボルト以外の接着、カシメなどの固定手段によってヘッド本体に固定されてもよい。
【００３５】
本発明は、フェースインサートとしてプレート部の厚さが異なる複数個のものをスペア品として準備しておき、このスペア品の中から１つのものを選んでヘッド本体に装着するように構成してもよい。このようにすれば、プレーヤーの好みや調子、ゴルフコースのグリーンの状況などに応じてフェースインサートを選んでヘッド本体に取り付けることができる。これにより、打感を調節したり、トップスピンのかかり易さを調節したりすることができる。なお、粘弾性材をプレート部の背後側に配置する場合には、粘弾性材としても厚さの異なる複数のものをスペア品として準備しておく。そして、プレート部の厚さと粘弾性材の厚さとの合計が凹部２Ｈの深さと合致したものとなるように、適切な厚さの粘弾性材をスペア品の中から選んでヘッド本体に装着する。
【符号の説明】
【００３６】
１，１’，１Ａ〜１Ｆ  パターヘッド
２  ヘッド本体
２Ｈ  凹部
２ｈ  深凹部
３，３Ｄ，３Ｅ，３Ｆ，３Ｇ，３Ｈ  フェースインサート
３ａ  プレート部
３ｂ  ブラケット部
３ｄ  垂下部
６  ボルト
７，７’，８  粘弾性材
【図１】
2012125511.tif 000003
【図２】
2012125511.tif 000004
【図３】
2012125511.tif 000005
【図４】
2012125511.tif 000006
【図５】
2012125511.tif 000007
【図６】
2012125511.tif 000008
【図７】
2012125511.tif 000009
【図８】
2012125511.tif 000010
【図９】
2012125511.tif 000011
【図１０】
2012125511.tif 000012
【図１１】
2012125511.tif 000013
【図１２】
2012125511.tif 000014
【図１３】
2012125511.tif 000015
【図１４】
2012125511.tif 000016